(57)【要約】【課題】筆記用具を必要とすることなく、しかも興味を持って楽しみながら回答することのできる印刷物を提供すること。【解決手段】文章の一部分を隠した隠蔽領域１１ａ〜１１ｍが印刷基材上に設けられており、その隠蔽領域をこすることにより、隠れた文章の一部分が表出するように構成する。具体的には、隠蔽領域を硬貨でこすることにより硬貨の削られた金属で文章の一部分を着色することで、隠れた文章の一部分を表出する。或いは、隠蔽領域をこすって上層の隠蔽層を削り取ることで、透明なメジューム層の下層にある文章の一部分を表出する。従来の印刷物のように鉛筆やボールペンなどの筆記用具を必要とすることがなく、手持ちの硬貨を用いてこするだけでよい。考えた後でこすって文章を完成させるという面白さがある。クイズ形式であるために記憶にも残ることから、意識の向上や知識の啓発に寄与することができる。【選択図】図１
2005053089.tif 000002
【特許請求の範囲】
【請求項１】
文章の一部分を隠した隠蔽領域が印刷基材上に設けられており、その隠蔽領域をこすることにより、隠れた文章の一部分が表出するようにしたことを特徴とする印刷物。
【請求項２】
隠蔽領域に硬貨の金属よりも硬度の高い材料を含むインキ組成物で文章の一部分が印刷されており、隠蔽領域を硬貨でこすることにより硬貨の削られた金属で文章の一部分を着色することで、隠れた文章の一部分を表出するようにしたことを特徴とする請求項１に記載の印刷物。
【請求項３】
隠蔽領域に通常のインキで文章の一部分が印刷され、その上に透明なメジューム層が形成され、さらにその上に不透明なインキで隠蔽層が設けられており、隠蔽領域をこすって上層の隠蔽層を削り取ることで、透明なメジューム層の下層にある文章の一部分を表出するようにしたことを特徴とする請求項１に記載の印刷物。
【発明の詳細な説明】
【技術分野】
【０００１】
本発明は、病院の待合室などで患者が利用する啓発用の印刷物を初めとして、その他の確認や啓発目的に好適に利用される印刷物に関するものである。
【背景技術】
【０００２】
従来、病院の待合室などで、患者の病気に対する意識向上のため、または病気の原因や症状などを確認するための啓発用の印刷物が利用されている。また、その他にも、確認や啓発目的のために、各種アンケート風の印刷物が利用されている。そして、この種の印刷物としては、複数の質問に対して記述式で回答したり、選択式の回答欄に印を付けるといった方式を採っているタイプが一般的である。
【発明の開示】
【発明が解決しようとする課題】
【０００３】
上記したように、従来の啓発用の印刷物は、例えば病院の窓口で渡され、その場で記入するようになっているため、鉛筆やボールペンなどの筆記用具を必要とする。このような筆記用具は、来院する人が常に所持しているとは限らないため、通常は病院の窓口で準備しているが、紛失したり書けなくなったりすることが多いという問題点がある。また、記述式や選択式であるため、どうしてもテストのイメージがあり、また義務感を持って記入する人もあり、回答するに際して今一つ興味が湧かないという問題点もある。
【０００４】
本発明は、このような事情に鑑みてなされたものであり、その目的とするところは、筆記用具を必要とすることなく、しかも興味を持って楽しみながら回答することのできる印刷物を提供することにある。
【課題を解決するための手段】
【０００５】
上記の目的を達成するため、本発明の印刷物は、文章の一部分を隠した隠蔽領域が印刷基材上に設けられており、その隠蔽領域をこすることにより、隠れた文章の一部分が表出するようにしたことを特徴としている。
【０００６】
そして、上記の印刷物は、隠蔽領域に硬貨の金属よりも硬度の高い材料を含むインキ組成物で文章の一部分が印刷されており、隠蔽領域を硬貨でこすることにより硬貨の削られた金属で文章の一部分を着色することで、隠れた文章の一部分を表出するようにした構成を採ることができる。
【０００７】
また、上記の印刷物は、隠蔽領域に通常のインキで文章の一部分が印刷され、その上に透明なメジューム層が形成され、さらにその上に不透明なインキで隠蔽層が設けられており、隠蔽領域をこすって上層の隠蔽層を削り取ることで、透明なメジューム層の下層にある文章の一部分を表出するようにした構成を採ることもできる。
【０００８】
本発明の印刷物で言う文章としては、標語やそれに類する文章とすることが好ましく、その一部分としては、回答者の意識を向上させたり、知識を啓発するようなキーワードとなる部分とすることが望ましい。
【発明の効果】
【０００９】
本発明の印刷物は、文章の一部分を隠した隠蔽領域が印刷基材上に設けられており、その隠蔽領域をこすることにより、隠れた文章の一部分が表出するようにしたことを特徴としているので、従来の印刷物のように鉛筆やボールペンなどの筆記用具を必要とすることがなく、手持ちの硬貨を用いてこするだけでよいため、簡便さに優れているという利点がある。しかも、考えた後でこすって文章を完成させるという面白さがあるので、興味を持って回答することができ、またクイズ形式であるために記憶にも残ることから、意識の向上や知識の啓発に寄与することができる。
【発明を実施するための最良の形態】
【００１０】
図１に本発明に係る印刷物の一例を示す。この印刷物１０は印刷基材としての用紙に所定の印刷を施した１枚もので図１はその印刷面を示している。
【００１１】
図１の印刷物１０は、「高血圧・心臓病」に関する啓発用シートで、その病気の検診や治療をする人が利用するものであり、例えば内科の窓口で配られ、来院した患者が待合室にて回答するような場面で利用される。
【００１２】
啓発用シートである印刷物１０の上段にはタイトルが記載され、さらに、この啓発用シートがスクラッチ式であることとその使い方とが記載されている。そして、印刷物１０の中央部分には高血圧や心臓病に関係する標語（文章）が１行ずつ複数段に渡って記載されており、各行にはそれぞれ文章の一部分を隠した隠蔽領域１１ａ〜１１ｍが設けられている。
【００１３】
各行の隠蔽領域１１ａ〜１１ｍは、通常のインキで周囲罫線と隠蔽領域全体を印刷するとともに、その隠蔽領域色と同じ色ではあるが硬貨の金属よりも硬度の高い材料を含むインキ組成物で回答の文字が印刷されている。したがって、隠蔽領域１１ａ〜１１ｍを硬貨（例えば１０円玉）でこすると、硬貨の金属が削り取られ、こすった部分が削り取られた金属により着色することで、回答の文字が表出する。
【００１４】
図示の啓発用シートとしての印刷物１０は、各隠蔽領域１１ａ〜１１ｍに対応してそれぞれヒントとなる「最初の文字」が印刷されたタイプであり、これらの文字を参考にして各段の標語を考えることができる。これら隠蔽領域１１ａ〜１１ｍの回答は次のようである。すなわち、隠蔽領域１１ａは「自覚」、隠蔽領域１１ｂは「親」、隠蔽領域１１ｃは「上が」、隠蔽領域１１ｄは「晩酌」、隠蔽領域１１ｅは「塩分」、隠蔽領域１１ｆは「心臓病」、隠蔽領域１１ｇは「運動」、隠蔽領域１１ｈは「ストレス」、隠蔽領域１１ｉは「太り」、隠蔽領域１１ｊは「血糖」、隠蔽領域１１ｋは「更年期」、隠蔽領域１１ｌは「血圧」、隠蔽領域１１ｍは「薬」である。
【００１５】
図２は図１に示した印刷物の変形例である。この印刷物２０も印刷基材としての用紙に所定の印刷を施した１枚もので図２はその印刷面を示している。
【００１６】
図２の印刷物２０も「高血圧・心臓病」に関する啓発用シートで、各行の隠蔽領域２１ａ〜２１ｍは、図１の印刷物１０と同様、通常のインキで周囲罫線と隠蔽領域全体を印刷するとともに、その隠蔽領域色と同じ色ではあるが硬貨の金属よりも硬度の高い材料を含むインキ組成物で回答の文字が印刷されている。したがって、隠蔽領域２１ａ〜２１ｍを硬貨（例えば１０円玉）でこすると、硬貨の金属が削り取られ、こすった部分が削り取られた金属により着色することで、回答の文字が表出する。
【００１７】
このように、図２の印刷物２０は図１の印刷物１０と略同じ構成であるが、各隠蔽領域２１ａ〜２１ｍに対応してそれぞれヒントとなる「イラスト」が印刷されている。したがって、このタイプの啓発用シートは、これらのイラストを参考にして各段の標語を考えることができる。各隠蔽領域２１ａ〜２１ｍの回答は図１のものと同じである。
【００１８】
図３は図１に示した印刷物のさらに別の変形例である。この印刷物３０も印刷基材としての用紙に所定の印刷を施した１枚もので図３はその印刷面を示している。
【００１９】
図３の印刷物３０も「高血圧・心臓病」に関する啓発用シートである。そして、各行の隠蔽領域３１ａ〜３１ｍは、回答の文字数に対応した円形パターンにより構成されており、図１の印刷物１０と同様、通常のインキで周囲の円形線と隠蔽領域全体を印刷するとともに、その隠蔽領域色と同じ色ではあるが硬貨の金属よりも硬度の高い材料を含むインキ組成物で回答の文字が印刷されている。したがって、隠蔽領域３１ａ〜３１ｍを硬貨（例えば１０円玉）でこすると、硬貨の金属が削り取られ、こすった部分が削り取られた金属により着色することで、回答の文字が表出する。
【００２０】
このように、図３の印刷物３０は図１の印刷物１０と略同じ構成であるが、各隠蔽領域３１ａ〜３１ｍは文字数に対応する円形パターンからなっている。したがって、このタイプの啓発用シートは、文字数を参考にして各段の標語を考えることができる。これら隠蔽領域３１ａ〜３１ｍの回答は次のようである。すなわち、隠蔽領域３１ａは「じかく」、隠蔽領域３１ｂは「おや」、隠蔽領域３１ｃは「あが」、隠蔽領域３１ｄは「ばんしゃく」、隠蔽領域３１ｅは「えんぶん」、隠蔽領域３１ｆは「しんぞう」、隠蔽領域３１ｇは「うんどう」、隠蔽領域３１ｈは「ストレス」、隠蔽領域３１ｉは「ふとり」、隠蔽領域３１ｊは「けっとう」、隠蔽領域３１ｋは「こうねん」、隠蔽領域３１ｌは「けつあつ」、隠蔽領域３１ｍは「くすり」である。
【００２１】
硬貨の金属よりも硬度の高い材料としては、酸化チタン、酸化アルミニウム、二酸化ケイ素、酸化クロム等が挙げられる。これらの材料のモース硬度は表１のとおりであり、硬貨の材料として一般に用いられている金属のモース硬度は表２のとおりである。
【００２２】
【表１】
2005053089.tif 000003
【００２３】
【表２】
2005053089.tif 000004
硬貨の金属よりも硬度の高い材料を含むインキ組成物を用いた印刷は、オフセット印刷、ＵＶオフセット印刷、活版印刷、グラビア印刷、シルクスクリーン印刷、ＵＶ活版印刷のいずれの印刷法でも可能である。
【００２４】
インキ組成物における硬貨の金属よりも硬度の高い材料の割合は１０〜８０％であるのがより適当である。すなわち、硬貨の金属よりも硬度の高い材料の割合が１０％以上であれば、硬貨の金属が削り取られる度合いがより多くなり、また着色がより十分となる。一方、８０％以下であればインキ化がより容易となる。
【００２５】
印刷基材としては、硬度の高い材料（酸化チタン、酸化アルミニウム、二酸化ケイ素、酸化クロム等）を印刷基材自体にできるだけ含まない材料からなるシート状物、例えば紙やプラスチックを使用するのが望ましい。
【００２６】
硬貨の金属よりも硬度の高い材料を含むインキ組成物のインキ被膜は、硬貨でこすると、硬貨の金属が削り取られ、削り取られた金属によって印刷部分が着色され、酸化チタン、酸化アルミニウム、二酸化ケイ素、酸化クロム等からなるインキ被膜は金属により着色し、明瞭に視認し得る状態となる。
【００２７】
図１〜図３にて説明した啓発用シートとしての印刷物は、硬貨の金属による着色を利用して文章の一部分を表出するようにしたものであるが、別のタイプとして、本発明の印刷物は、こすることで表面を削り取って下に隠れた文章の一部分表出するものでもよい。こするものとしては特に限定されないが、例えば、硬貨、爪などが挙げられる。
【００２８】
この表面を削り取るタイプの印刷物としては、印刷基材上に文章の一部分を隠す隠蔽領域を設け、その隠蔽領域に例えば前述したのと同様に通常のインキで所定の文字を印刷し、その上に樹脂、植物油、石油系溶剤及び乾燥剤よりなるメジュームにワックスを混入した溶液を塗布してメジューム層を形成し、さらにそのメジューム層の上に不透明なインキで覆うように印刷を施したものが使用される。この印刷物では、隠蔽領域をこすることにより、上層の印刷インキが削り取られ、透明なメジューム層の下層にある文章の一部分が表出する。
【産業上の利用可能性】
【００２９】
本発明の印刷物は、一枚もののシートの形態で利用するほか、小冊子の表紙や任意ページなどに綴じ込んで利用することもできる。また、カード形態での利用も可能であり、例えばマグネット式のカードにすれば、文字を表出させてから、冷蔵庫等に張り付けて利用することもできる。
【図面の簡単な説明】
【００３０】
【図１】本発明に係る印刷物の一例をその印刷面で示す平面図である。
【図２】図１に示した印刷物の変形例を示す平面図である。
【図３】図１に示した印刷物のさらに別の変形例を示す平面図である。
【符号の説明】
【００３１】
１０  印刷物
１１ａ〜１１ｍ  隠蔽領域
２０  印刷物
２１ａ〜２１ｍ  隠蔽領域
３０  印刷物
３１ａ〜３１ｍ  隠蔽領域
【図１】
2005053089.tif 000005
【図２】
2005053089.tif 000006
【図３】
2005053089.tif 000007